(57)【要約】【課題】所望の地図に簡単に切り替えることができ、かつ、当該地図中に示された地点を指定することのできる、一画面で操作可能な表示処理装置および表示処理プログラムを提供すること。【解決手段】詳細地図と広域地図の２種類の地図データを有する地図データベース１０１と、発着駅間の経路や各経路の料金等に関する情報を有する経路情報データベース１０３と、表示領域が地図表示領域、地名表示領域および状態表示領域の３つの領域に分割して表示されるタッチパネル付き表示部１０５と、タッチパネル付き表示部１０５で表示する画面の表示処理を行う表示処理部１０７と、を備え、表示処理部１０７は、タッチパネル付き表示部１０５に対するスティック操作によって、詳細地図と広域地図の切り替え、詳細地図中の地点の指定、経由一覧の表示が指示されると各々に応じた処理を行う。【選択図】    図１
2004151367.tif 000002
【特許請求の範囲】
【請求項１】
表示部の表示領域を、
タッチパネル方式で指定された地点を中心とした地図を表示する地図表示領域と、
前記地図表示領域に表示されている地図中の地点が指定されると、当該指定された地点の地名を表示する地名表示領域と、
前記地図表示領域または前記地名表示領域の表示状態を表示する状態表示領域と、
の少なくとも３つの領域に分割して表示するよう処理することを特徴とする表示処理装置。
【請求項２】
前記地名表示領域は、前記地図表示領域に表示されている地図中の地点の指定により、出発地点、到着地点および経由地点の地名をそれぞれ表示可能な各ボックスを有し、
前記出発地点および前記到着地点が表示された状態で、前記地図表示領域外に表示された第１のアイコンが選択されると、前記地図表示領域が前記出発地点から前記到着地点への経路を経由地点も含めて表示するよう処理することを特徴とする請求項１記載の表示処理装置。
【請求項３】
前記地図表示領域に表示された経路の１つが選択されると、
前記選択された経路の詳細情報を前記地図表示領域が表示するよう処理し、
前記地名表示領域中の経由地点のボックスが前記経路中の経由地点を表示するよう処理することを特徴とする請求項２記載の表示処理装置。
【請求項４】
前記地図表示領域は広域地図または詳細地図を表示可能であり、
前記地図表示領域が表示している広域地図中の地点が指定されると、前記地図表示領域の表示を前記指定された地点の詳細地図に切り替えることを特徴とする請求項１、２または３記載の表示処理装置。
【請求項５】
前記地図表示領域に広域地図が表示されているとき、前記地図表示領域は、選択的に表示可能な複数の広域地図の中から実際に表示する広域地図を選択可能な広域地図選択領域を有することを特徴とする請求項４記載の表示処理装置。
【請求項６】
前記地図表示領域は広域地図または詳細地図を表示可能であり、
前記地図表示領域に詳細地図が表示されている際に、前記地図表示領域外に表示された第２のアイコンが選択されると、前記地図表示領域の表示を前記詳細地図が属する広域地図に切り替えることを特徴とする請求項１、２、３、４または５記載の表示処理装置。
【請求項７】
コンピュータを請求項１〜６のいずれか一項に記載の表示処理装置として実現するための表示処理プログラム。
【発明の詳細な説明】
【０００１】
【発明の属する技術分野】
本発明は、所望の地図に簡単に切り替えて当該地図中に示された地点を指定することのできる、一画面で操作可能な表示処理装置に関する。
【０００２】
【従来の技術】
広範囲にわたる地図を搭載し、当該地図中に示された地点を指定可能な従来の装置には、文字や記号等を表示可能な表示部とキーボードを本体側に備え、そのカバーの裏側に地図パネルが貼り付けられた形態のものがある。当該従来の装置にあっては、地図パネル中の地点を指定するかキーボードで地名を入力すると、表示部には指定または入力された地点の地名が表示される。
【０００３】
【発明が解決しようとする課題】
しかしながら、上記従来の装置において、貼替式の地図パネルを用いれば地図の交換は可能であるが、搭載されている地図パネル中にはない地点を指定する必要があるとき、該当する地図パネルを持っていなければ貼替作業を行うことはできないという問題点があった。また、構造上、地図パネルの貼替作業を手早く行うことができないという問題点もあった。したがって、貼替式の地図パネルを用いなくても所望の地図に切り替えることができ、かつ、地図中の地点を簡単に指定することのできる装置が望まれていた。
【０００４】
本発明は、上記従来の問題点に鑑みてなされたものであって、所望の地図に簡単に切り替えることができ、かつ、当該地図中に示された地点を指定することのできる、一画面で操作可能な表示処理装置および表示処理プログラムを提供することを目的としている。
【０００５】
【課題を解決するための手段】
上記課題を解決するために、上記目的を達成するために、本発明に係る表示処理装置は、表示部の表示領域を、タッチパネル方式で指定された地点を中心とした地図を表示する地図表示領域と、前記地図表示領域に表示されている地図中の地点が指定されると、当該指定された地点の地名を表示する地名表示領域と、前記地図表示領域または前記地名表示領域の表示状態を表示する状態表示領域と、の少なくとも３つの領域に分割して表示するよう処理する。したがって、地図、地名の表示および状態を一画面で表すことができ、操作もタッチパネル方式で行うことができるため操作性の良い表示処理装置を提供することができる。また、地図の表示領域の移動を簡単な操作で行うことができる。
【０００６】
また、本発明に係る表示処理装置は、前記地名表示領域は、前記地図表示領域に表示されている地図中の地点の指定により、出発地点、到着地点および経由地点の地名をそれぞれ表示可能な各ボックスを有し、前記出発地点および前記到着地点が表示された状態で、前記地図表示領域外に表示された第１のアイコンが選択されると、前記地図表示領域が前記出発地点から前記到着地点への経路を経由地点も含めて表示するよう処理する。したがって、地点の指定といった簡単な操作により一画面で地図中に示された地点を簡単に指定することができ、かつ、経路の表示を簡単な操作で行うことができる。
【０００７】
また、本発明に係る表示処理装置は、前記地図表示領域に表示された経路の１つが選択されると、前記選択された経路の詳細情報を前記地図表示領域が表示するよう処理し、前記地名表示領域中の経由地点のボックスが前記経路中の経由地点を表示するよう処理する。
【０００８】
また、本発明に係る表示処理装置は、前記地図表示領域は広域地図または詳細地図を表示可能であり、前記地図表示領域が表示している広域地図中の地点が指定されると、前記地図表示領域の表示を前記指定された地点の詳細地図に切り替える。したがって、簡単な操作によって一画面で所望の詳細地図に切り替えることができる。
【０００９】
また、本発明に係る表示処理装置は、前記地図表示領域に広域地図が表示されているとき、前記地図表示領域は、選択的に表示可能な複数の広域地図の中から実際に表示する広域地図を選択可能な広域地図選択領域を有する。したがって、簡単な操作によって一画面で所望の広域地図に切り替えることができる。
【００１０】
また、本発明に係る表示処理装置は、前記地図表示領域は広域地図または詳細地図を表示可能であり、前記地図表示領域に詳細地図が表示されている際に、前記地図表示領域外に表示された第２のアイコンが選択されると、前記地図表示領域の表示を前記詳細地図が属する広域地図に切り替える。したがって、簡単な操作によって一画面で所望の広域地図に切り替えることができる。
【００１１】
さらに、本発明に係る表示処理プログラムは、コンピュータを請求項１〜６のいずれか一項に記載の表示処理装置として実現するためのものである。
【００１２】
【発明の実施の形態】
以下、本発明に係る表示処理装置の実施の形態について、図面を参照して詳細に説明する。なお、本発明に係る表示処理プログラムについては、表示処理装置を動作させるためのプログラムであることから、その説明は以下の説明に含まれる。
【００１３】
図１は、本発明の一実施形態に係る表示処理装置を示すブロック図である。同図において、本実施形態の表示処理装置は、地図データベース（以下「地図ＤＢ」という。）１０１と、経路情報データベース（以下「経路情報ＤＢ」という。）１０３と、特許請求の範囲の表示部に該当するタッチパネル付き表示部１０５と、表示処理部１０７とを備えて構成されている。
【００１４】
以下、本実施形態の表示処理装置が有する各構成要素について説明する。
まず、地図ＤＢ１０１および経路情報ＤＢ１０３について説明する。地図ＤＢ１０１は、大きく分けて詳細地図と広域地図の２種類の地図データを有するデータベースである。図２に示すように、詳細地図（ａ）は当該地図中に存在する駅と沿線の位置関係を概念的に示す地図であり、広域地図（ｂ）は詳細地図で表示可能な地方を大まかに示す地図である。なお、本実施形態において、詳細地図は駅と沿線の位置関係について示しているが、駅には限らずポイントとなる地点であれば良い。一方、経路情報ＤＢ１０３は、発着駅間の経路や各経路の料金等に関する情報を有するデータベースである。
【００１５】
次に、タッチパネル付き表示部１０５について説明する。タッチパネル付き表示部（以下、単に「表示部」という。）１０５は、図３に示すように、その表示領域が地図表示領域２０１、地名表示領域２０３および状態表示領域２０５の３つの領域に分割して表示される液晶ディスプレイ等の表示手段であって、当該表示手段の前面にはタッチパネルが貼り付けられている。したがって、ユーザは、表示部１０５上でのスティック操作を行うことができる。
【００１６】
地図表示領域２０１は、主に地図（詳細地図および広域地図）を表示する領域であって、詳細地図の場合、図３（ａ）に示すように、タッチパネル方式でユーザが指定した地点を中心とする所定領域の地図を表示する。広域地図の場合は、図３（ｂ）に示すように、当該広域地図の他に、表示可能な各地方を示す選択可能な項目から成る広域地図選択領域２０７を有する。なお、地図表示領域２０１には、地図の他に経路一覧や経路に関する詳細情報が表示されることもある。
【００１７】
また、地名表示領域２０３は、地図表示領域２０１に表示されている詳細地図中の地点が指定されると当該指定された地点の地名を表示する領域であって、当該領域には、特許請求の範囲の出発地点に該当する発駅をテキストで表示可能なボックス２５１ａと、到着地点に該当する着駅をテキストで表示可能なボックス２５１ｂと、経由地点に該当する経由駅をテキストで表示可能なボックス２５１ｃとを表示する。また、状態表示領域２０５は、地図表示領域２０１または地名表示領域２０３の表示状態を表示する領域である。なお、状態表示領域２０５には、地図表示領域２０１に表示されている詳細地図の都市部も表示され、当該都市部を選択することで詳細地図を切り替えることができる。
【００１８】
なお、地名表示領域２０３には、特許請求の範囲の第１のアイコンに該当する「経由」ボタン２５３と、第２のアイコンに該当する「駅」ボタン２５５とが表示される。「経由」ボタン２５３は、発駅および着駅がそれぞれ表示されている状態で選択されると、地図表示領域２０１に発駅から着駅までの経路のリストを示した経由一覧を表示するためのものである。また、「駅」ボタン２５５は、詳細地図を表示している地図表示領域２０１を広域地図に切り替えるためのものである。
【００１９】
次に、表示処理部１０７について説明する。表示処理部１０７は、表示部１０５で表示する画面の表示処理を行うものであって、表示部１０５に対するスティック操作に対して処理を行う。なお、地図ＤＢ１０１に格納されている地図データおよび経路情報ＤＢ１０３に格納されている経路情報は、以下説明する処理に応じて表示処理部１０７から読み出され処理される。
【００２０】
以下、図４および図５を参照して、表示処理部１０７が行う処理の詳細について説明する。
まず、表示部１０５の地図表示領域２０１に詳細地図が表示されている場合について説明する。表示処理部１０７は、表示されている詳細地図に対して連続したスティック操作が行われると、詳細地図の表示領域を移動させるよう処理する。また、詳細地図中に示されている地点（駅）が指定されると、地名表示領域２０３中のボックス２５１に当該指定された地点の地名（駅名）を表示するよう処理する（図４（ｂ）参照）。
【００２１】
また、発駅および着駅がそれぞれ表示されている状態で「経由」ボタン２５３または地図表示領域２０１に示された経路が選択されると、地図表示領域２０１に経由一覧を表示するよう処理する（図４（ｃ）参照）。地図表示領域２０１に経由一覧が表示されている状態のとき、当該経由一覧に示されている経路の中から適当な経路が選択されると、当該選択された経路の詳細情報を地図表示領域２０１が表示するよう処理する（図４（ｄ））。なお、経路が選択されるとボックス２５１ｃに経由地点を表示し、経由地点を表示するための新たなボックスが表示される。また、詳細地図が表示されている状態のとき「駅」ボタン２５５が選択されると、地図表示領域２０１を当該詳細地図が属する広域地図に切り替えるよう処理する（図５参照）。
【００２２】
次に、地図表示領域２０１に広域地図が表示されている場合について、図５を参照して説明する。表示処理部１０７は、広域地図選択領域２０７に示されている項目が選択されると、当該選択された項目が示す地方の広域地図に切り替えるよう処理する。また、広域地図に示されている地点が指定されると、地図表示領域２０１を当該指定された地点の詳細地図に切り替えるよう処理する。
【００２３】
次に、本実施形態の表示処理装置の作用について、図４および図５を参照して簡単に説明する。
まず、図４（ａ）に示した初期画面を表示する。同図（ａ）に示した初期画面は、地図表示領域２０１にデフォルトの詳細地図、地名表示領域２０３にボックス２５１ａ〜２５１ｃが空白、状態表示領域２０５に地図表示領域２０１が表示している詳細地図の都市部「東京」と地名表示領域２０３の状態「経路入力」を表示している。
【００２４】
次に、詳細地図中に示されている地点を指定すると、図４（ｂ）に示すように、ボックス２５１ａに発駅、ボックス２５１ｂに着駅が表示される。但し、指定したい地点が当該詳細地図中にない場合は、スティック操作によって詳細地図の表示領域を移動させたり、図５に示すように、「駅」ボタン２５５を選択して広域地図を表示させたりする。広域地図を表示させた場合、ユーザは指定したい地点が属する地方および主要都市を選択することによって、当該地点を含む詳細地図を表示させ、所望の地点を指定する。発駅および着駅が指定されると、詳細地図には所定の経路が判別可能なように表示される。
【００２５】
次に、「経由」ボタン２５３または詳細地図に示された経路を選択すると、図４（ｃ）に示すように、地図表示領域２０１には所定の経路の経由一覧が表示される。ユーザが、経由一覧に示された経路の中から適当な経路を選択し、当該経路の表示部分または地名表示領域２０３に表示されている「詳細」ボタン２５７を選択すると、地図表示領域２０１には、図４（ｄ）に示すように、当該選択された経路の詳細情報が表示される。
【００２６】
以上説明したように、本実施形態の表示処理装置によれば、表示部１０５に対してスティック操作するだけで、詳細地図の表示領域の移動、詳細地図に示されている地点の指定、詳細地図と広域地図の切り替え、経路の指定および確認等を行うことができる。したがって、一画面で所望の地図に切り替えることができ、かつ、当該地図中に示された地点を簡単に指定することができる。
【００２７】
なお、本実施形態では、発駅および着駅の指定をスティック操作によって行っているが、図６に示すように、本実施形態の表示処理装置がキーボード１０９を備え、表示部１０５に表示された各ボックス２５１ａ〜２５１ｃに駅名を入力するようにしても良い。このとき、図７に示すように、表示処理部１０７は、例えば“ａ”と入力されると、「あ」ではじまる地名（駅名）を表示部１０５の地図表示領域２０１に表示し、“ａｉ”といったように入力文字が増えるごとに地名を絞り込んでいく。なお、キーボード１０９の他に文字パッドを用いても良い。また、電卓を表示させても良い。
【００２８】
また、本実施形態の表示処理装置が、図６に示すようにプリンタ１１１を備え、表示部１０５に表示された経路の詳細情報に基づいて切符等を発券しても良い。この場合、本実施形態の表示処理装置は地図データ等を電子データの形態で内部に備えているため、装置自体を小さくすることができるか、多少大きくて重量のあるプリンタであっても搭載することができる。
【００２９】
【発明の効果】
以上説明したように、本発明によれば、所望の地図に簡単に切り替えることができ、かつ、当該地図中に示された地点を指定することのできる、一画面で操作可能な表示処理装置および表示処理プログラムを提供することができる。
一画面で
【図面の簡単な説明】
【図１】本発明の一実施形態に係る表示処理装置を示すブロック図
【図２】詳細地図（ａ）と広域地図（ｂ）の一例を示す説明図
【図３】タッチパネル付き表示部の表示形態を示す説明図
【図４】表示処理部によって表示部に表示される画面の推移を示す説明図
【図５】詳細地図と広域地図の切り替えについて、表示部に表示される画面の変化について示す説明図
【図６】本発明の他の実施形態に係る表示処理装置を示すブロック図
【符号の説明】
１０１  地図データベース（地図ＤＢ）
１０３  経路情報データベース（経路情報ＤＢ）
１０５  タッチパネル付き表示部
１０７  表示処理部
１０９  キーボード
１１１  プリンタ
【図１】
2004151367.tif 000003
【図２】
2004151367.tif 000004
【図３】
2004151367.tif 000005
【図４】
2004151367.tif 000006
【図５】
2004151367.tif 000007
【図６】
2004151367.tif 000008